Podtech/llm-jp-corpus-v4-ja_patent huggingface dataset:
(57)【要約】      （修正有）【課題】ペットボトルキャップ上部に開閉できる蓋を儲け、片手で開閉を可能にする。【解決手段】ペットボトルキャップ本体ａ上部に開閉できる蓋ｂを設け、キャップ胴体と蓋を蝶番ｄで結ぶ、蓋を開けるため突起物ｃを上部にはじくことで蓋が開くことができる。またキャップ胴体を長くし、蓋と胴体を結ぶ蝶番取付け位置を下げることで蓋の開きが大きくなり、ペットボトルに直接、口を付けて内容物を飲む場合に蓋が顔に当たるなど、飲みづらさを解消した。【選択図】図１
0003141422.tif 000002
【実用新案登録請求の範囲】
【請求項１】
ペットボトルに接続されたキャップ胴体上部に開閉する蓋を設けることで片手でも開閉可能にしたペットボトル用キャップ
【請求項２】
ペットボトルに口を付けて飲むときに開いた蓋が邪魔にならないようにキャップ胴体を長くし上部蓋がキャップ胴体中央部まで開くようにしたペットボトル用キャップ
【考案の詳細な説明】
【技術分野】
【０００１】  この考案は、ペットボトルのキャップをはずすことなくドリンクを飲める、なおかつ開けた蓋が邪魔になり内容物がのみづらいのを解消したペットボトルキャップに関する。
【背景技術】
【０００２】  従来のペットボトルのキャップは、キャップを回転させて開閉めしなければならなく、開閉時に両手を使わなければならなかった。
【考案の開示】
【考案が解決しようとする課題】
【０００３】  従来のペットボトルキャップはキャップを回転させてキャップをはずさなければ中身を飲むことが出来なかった。このため自動車の運転中などでは非常に危険な行為となり交通事故を起こしかねない。本考案では、片手で蓋を開け閉めすることで運転者が運転中にペットボトルから内容物を安全に飲めるようにする物である。
【課題を解決するための手段】
【０００４】  蝶番もしくはスライド敷き蝶番によって、ペットボトルのキャップを本態に接続することで片手でもキャップの開閉が出来るようにする。またペットボトルから直接、内容物を飲む場合は口をボトルにつけるため、従来と同じ長さの上部開閉式蓋をついたキャップを取りつけると蝶番とつながっている蓋が邪魔になり内容物が飲みにくいがキャップ胴体を長くし胴体と蓋をつなぐ蝶番の胴体取付け部分を下方に取付けることで飲みにくさを解消した。
【考案の効果】
【０００５】  本考案を用いることで、ペットボトルのキャップを両手で開ける必要がなく、片手で蓋の開閉が可能となり、自動車などを運転中でも安全に蓋の開閉ができ、運転中の危険行為が軽減する。
【考案を実施するための最良の形態】
【０００６】  従来のペットボトルキャップの代りに、本考案であるキャップ上部に設けた開閉式蓋を取付ける胴体を長くし、また蓋がキャップ胴体より離れないように蝶番で接続する。
【実施例】
【０００７】図面を用いて実施例を説明する。本考案はプラスチックなどの合成樹脂で一体成型される。（ａ）は本考案をペットボトルに接続するための「キャップ胴体」であり、内側にネジ山（ｇ）がついている。（ｂ）は片手で開閉できる蓋部分で、蓋を閉じることでペットボトル内の飲料水が、容器の外に漏れ出すことを防ぐ（ｄ）はキャップ胴体（ａ）と片手で開閉できる蓋部分（ｂ）を接続するものである。
（ｃ）は片手で開閉できる蓋部分を開けやすくするための突起物である。（ｅ）は片手で開閉できる蓋部を閉じた状態に保持できるための突起物である。
【産業上の利用可能性】
【０００８】本考案は以下のような形態で販売、配布される。
１．本考案であるキャップを単体で販売もしくは配布する。
２．本考案であるキャップを従来のキャップを有したペットボトル飲料に「おまけ」として添付する。
３．容器にペットボトルを使った飲料水を製造するときに、従来のキャップをつけずに、ほんこう案であるキャップをペットボトルに装着して出荷する、この場合、製品が出荷してから飲料水を購入した人が蓋を開けるまでの間に、蓋が開封されないように、ビニールなどで蓋部分を封印しておく。
【図面の簡単な説明】
【０００９】
【図１】蓋を閉じた状態で見た図
【図２】蓋を開けた状態
【図３】蓋を閉じた状態の断面図
【符号の説明】
【００１０】ａ．キャップ本体
ｂ．片手で開閉可能な蓋
ｃ．蓋を開けるための突起物
ｄ．キャップ本態と蓋をつなぐつなぎ目
ｅ．蓋を閉めたままで保持するための突起物
ｆ．内容物の流出を防ぎ、蓋を閉じた状態を保持するための突起物
ｇ．キャップ本態をペットボトルにつなぐネジ山
【図１】
0003141422.tif 000003
【図２】
0003141422.tif 000004
【図３】
0003141422.tif 000005
【手続補正書】
【提出日】平成20年1月31日(2008.1.31)
【手続補正１】
【補正対象書類名】実用新案登録請求の範囲
【補正対象項目名】全文
【補正方法】変更
【補正の内容】
【実用新案登録請求の範囲】
【請求項１】
ペットボトルに取付けたキャップに蝶番で接続された蓋を設け蝶番と向かい合う位置に蓋を開けやすくするための突起物を設けることで片手でもペットボトルの蓋を開閉出来るようにしたペットボトル用キャップ
【請求項２】
ペットボトルに口を付けて飲むとき開いた蓋が邪魔にならないようキャップ胴体を長くし開いた蓋がキャップ胴体中央部までおりる事を特徴とする請求項１に記載のペットボトル用キャップ
(57)【要約】      （修正有）【課題】伸縮機能を持つ、複連式の梯子のゆれおよびたわみを減少させる金具を提供することである。【解決手段】二重に重なった複連式梯子の上下に平行した二本の横桟の重なった部分の上部と下部の二箇所の横桟を横桟固定上金具と横桟固定下金具で挟み込み、横桟固定上金具と横桟固定下金具をボルトとナットで締め付けて固定することにより、上下別々の梯子を一体化させ梯子の剛性を増す。【選択図】図１
0003141421.tif 000002
【実用新案登録請求の範囲】
【請求項１】
伸縮式の機能を持つ、複連式の梯子の重なり合う二本の横桟を固定し、梯子のゆれおよびたわみを減少させる固定金具。
【考案の詳細な説明】
【技術分野】
【０００１】  本考案は建築工事、高所作業等に使用される、伸縮機能を持った複連式の梯子および同形式の梯子をガイドレールとして利用した荷揚げ装置の梯子部分のねじれやたわみを減少させる金具に関するものである。
【背景技術】
【０００２】  従来より人間の昇降用に使用されている複連式の伸縮式梯子には、梯子のねじれやたわみを減少させる目的の金具は使用されていない。
複連式の伸縮式梯子をガイドレールとして利用する荷揚げ装置でも、梯子の横桟を固定して梯子のねじれやたわみを減少させる目的の金具は使用されていない。
【考案の開示】
【考案が解決しようとする課題】
【０００３】  従来より使用されている複連式の伸縮式梯子は、〔図１〕および〔図２〕のように両側面のレール材のフランジまたは伸縮機構用に設けられたフランジ部分を、両側面の縦レールに樹脂製の受け物（３）を取り付けた抱き金具（４）を取り付け、その抱き金具（４）に取り付けられた樹脂製の受け物（３）の溝に入れて滑らせることにより伸縮させている。この場合滑らかな伸縮を行なう為、レール材のフランジ部分と樹脂製の受け物（３）の溝とは隙間ができるようになっている。この為、梯子に荷重が掛かるとこの隙間の分のガタが原因となり、梯子にたわみやねじれを生じることになる。
特にこのような伸縮式の梯子をガイドレールとして使用し、電動ウインチを動力とする荷揚げ装置の場合などは、このたわみやねじれが大きくなる為、荷揚げ作業に支障をきたす場合もある。
本考案は以上の問題を解決し、梯子のねじれやたわみを少なくするようにしたものである。
【課題を解決するための手段】
【０００４】  伸縮式梯子は〔図１〕のように上側の梯子（１）と下側の梯子（２）が二重の重なっているが、この重なった上側の梯子（１）の横桟（５）と下側の梯子（２）の横桟（５）の二重に重なった部分の一番上側の横桟と一番下側の横桟の二箇所の横桟を横桟固定上金具（６）と横桟固定下金具（７）で挟み込み、横桟固定上金具（６）と横桟固定下金具（７）をボルト（８）およびナット（９）で締め付けて、左右二箇所を固定することにより、上下に重なった別々の梯子を一体化させ梯子の強さを二倍にして梯子のねじれやたわみを少なくさせるものである。
【考案の効果】
【０００５】  伸縮式梯子の上側梯子（１）と下側梯子（２）を、本考案品により固定することで、二本の梯子が一体となり梯子の強さが倍増するため、ねじれやたわみが減少し、作業時の安全性を増すことができる。
【考案を実施するための最良の形態】
【０００６】  以下本考案の実施の形態を説明する。
（イ）〔図１〕のような複連式の伸縮式梯子において、上下に重なった梯子の平行に重なりあった横桟（５）を上下から挟み込み、固定できるようにした横桟固定上金具（６）と横桟固定下金具（７）を設ける。
（ロ）〔図３〕のように横桟固定上金具（６）および横桟固定下金具（７）には、二本の横桟を抱き抱えて横桟を固定できるようにした、横桟の断面形状に合わせたへこみを設ける。
（ハ）〔図３〕のように横桟固定上金具（６）および横桟固定下金具（７）は二本の横桟をはさみこんでから、ボルト（８）およびナット（９）により固定される。
本考案の構成は以上よりなる。
本考案を使用する場合は、〔図２〕のように所要な長さに調整した伸縮式梯子の平行する横桟（５）の一番上および一番下の左右の隅部に本考案品を取り付ける。
【図面の簡単な説明】
【０００７】
【図１】本考案品の斜視図である。
【図２】本考案品の要部拡大の斜視図である。
【図３】本考案品の使用時の断面図である。
【符号の説明】
【０００８】１：上側の梯子
２：下側の梯子
３：樹脂製受け物
４：抱き金具
５：梯子横桟
６：横桟固定上金具
７：横桟固定下金具
８：ボルト
９：ナット
【図１】
0003141421.tif 000003
【図２】
0003141421.tif 000004
【図３】
0003141421.tif 000005
【手続補正書】
【提出日】平成20年2月8日(2008.2.8)
【手続補正１】
【補正対象書類名】実用新案登録請求の範囲
【補正対象項目名】全文
【補正方法】変更
【補正の内容】
【実用新案登録請求の範囲】
【請求項１】
上側の梯子（１）と下側の梯子（２）とからなる伸縮式の梯子に取付け該上側の梯子（１）と該下側の梯子（２）を一体化させる固定金具であって、
平行に重なりあった前記上側の梯子（１）の横桟（５）と前記下側の梯子（２）の横桟（５）に渡って上に当てられる横桟固定上金具（６）と、
この横桟固定上金具（６）とで前記上側の梯子（１）の横桟（５）と前記下側の梯子（２）の横桟（５）を挟み込むように該上側の梯子（１）の横桟（５）と該下側の梯子（２）の横桟（５）に渡って下に当てられる横桟固定下金具（７）と、
前記横桟固定上金具（６）と前記横桟固定下金具（７）を締め付けて、前記上側の梯子（１）の横桟（５）と前記下側の梯子（２）の横桟（５）に固定するボルト（８）とからなることを特徴とする固定金具。
(57)【要約】      （修正有）【課題】カードスタンド本体に回転と角度調整が出来るクリップを取りつけ、幅広いカードの厚さに対応し、より良い視認性を高める。【解決手段】安定性のあるテトラポット型の土台１に着脱式のクリップ部分２を挿入し一体化したものである。クリップボール部分２ａによりクリップはフレキシブルに動くことが出来る為、容易に回転や角度を調整することができる。又クリップ２はカードの厚みに関係なくカードを取り付けることが可能になり視認性の向上に役立つ。【選択図】図１
0003141426.tif 000002
【実用新案登録請求の範囲】
【請求項１】
安定したテトラポット型の土台にクリップを取りつけ回転と角度調整ができるカードスタンド。
【考案の詳細な説明】
【技術分野】
【０００１】  本考案は回転と角度調整の出来るクリップを安定性のあるテトラポット型の土台に取り付けたカードスタンドである。
【背景技術】
【０００２】  通常のカードスタンドの場合、土台に切れ込みや溝を入れたもので、角度調整やカードの厚みに対応しにくかった。
【考案の開示】
【考案が解決しようとする課題】
【０００３】  通常のカードスタンドの場合溝の幅が一定なので使用できるカードが限られてしまう。又、カードの角度調整が出来ない為、見ずらく体をかがめなければカードの内容を確認できなかった。さらに置き場所をえらんでしまうことは広告として効果的、スペース的にも不利である。従って安定性のあるテトラポット型の土台と回転、角度調整のできるクリップの機能を一体化することにより、カードの厚みや置き場所を選ばず、カードスタンドの機能を十分に満たすことが可能になり前述の欠点を解決しようとするものである。
【課題を解決するための手段】
【０００４】  本考案は安定性のあるテトラポット型カードスタンド土台に着脱式のクリップ部分を挿入し一体化したものである。クリップボール部分によりクリップはフレキシブルに動くことができるため、容易に回転や角度を調整する事ができる。又クリップはカードの厚みに関係なくカードを取り付けることが可能になり、問題点を解決している。
【考案の効果】
【０００５】  本考案のクリップ付きカードスタンドは回転や角度調整する事はもちろん、強力バネを使用することで使用する紙の厚みの問題やズレの問題を解消し、安定したテトラポット型の形状により風や振動にも強いものになっている。屋外での使用を有利にした。
【考案の実施するための最良の形態】
【０００６】  本体上部のクリップを指で開き、カードや写真、メモなどをはさみ、見やすい位置に角度を調整して使用する。
【実施例】
【０００７】  以下、添付図面に従って説明する。１は耐久性のあるプラスチック素材にて成形されたテトラポット型カードスタンド土台。２はカードをはさむためテトラポット型カードスタンド土台１に装着したクリップ部分である。このクリップ部分はボール２ａにより自由に動くことができる。２ｂ金属バネはクリップ部分２に附随しており、その力で紙を押さえるものである。
【産業上の利用可能性】
【０００８】  上述の考案は、店頭における商品の内容説明をより明確にするものとして利用可能である。
【図面の簡単な説明】
【０００９】
【図１】  本考案のクリップ付きカードスタンドの実施例を示す正面図である。
【図２】  本考案のクリップ付きカードスタンドの一部切欠断面図である。
【符号の説明】
【００１０】  １    テトラポット型カードスタンド土台
２    クリップ部分
２ａ  ボール
２ｂ  金属バネ
【図１】
0003141426.tif 000003
【図２】
0003141426.tif 000004
【手続補正書】
【提出日】平成20年2月8日(2008.2.8)
【手続補正１】
【補正対象書類名】実用新案登録請求の範囲
【補正対象項目名】全文
【補正方法】変更
【補正の内容】
【実用新案登録請求の範囲】
【請求項１】
テトラポット型のスタンド上部に内蔵された筒状の部材の中に入っているボールの回転により、クリップの回転と角度調整ができるカードスタンド。
(57)【要約】      （修正有）【課題】手編みぞうり作業台で作業中に生じる不具合、身体的疲労を解消する手編みぞうりハンディータイプ作業台を提供する。【解決手段】手編みぞうりの作業を安易にするため、作業台の強固な安定と持ち運びに負担のかからないハンディータイプ並びにテーブルに取り付け利用できるように、手編みぞうり作業台は、２枚の木片を直角に接着し、その直角面にカナ折れ金具で補強し、一方の木片の垂直面にヨウトウヅリを取り付け、テーブルにはクランプを用いて固定する。【選択図】図１
0003141427.tif 000002
【実用新案登録請求の範囲】
【請求項１】
手編みぞうりの製造にあたり、編みやすく且つハンディータイプにした手編みぞうりハンディータイプ作業台
【考案の詳細な説明】
【技術分野】
【０００１】  本考案は、携帯に便利なハンディータイプにし固定能力を有する作業台である。
【背景技術】
【０００２】  近年のリサイクル意識に基づき、手編みぞうりの製造が行われているため使いやすい作業台として考案。
【考案の開示】
【考案が解決しようとする課題】
【０００３】  自己の足を使っての製造は、現代人の生活習慣にそぐわず腰痛、膝痛発症の原因となる。またハリガネハンガー再利用の作業は製造中の動作に対して不安定でハリガネ自体が伸びたり、ゆがんだりの不具合が生じるための解決案である。
【課題を解決するための手段】
【０００４】  本案は、手編みぞうりの作業を安易にするため、作業台の強固な安定と持ち運びに負担のかからないハンディータイプ並びに現代の生活に適合したテーブルに取り付け利用できるような解決手段をとった。
【考案の効果】
【０００５】  テーブルを利用するため、正座や無理な体形をとる必要がなく製造作業が楽である。また、ハンディータイプのため持運びおよび収納にも便利である。
【考案を実施するための最良の形態】
【０００６】  手編みぞうり作業台には、２枚の木片を使用し、それぞれの側面を接着する。それにより生じた直角面をカナ折れ金具で補強する。垂直面の所定位置にヨウトウヅリを取り付ける。固定には市販クランプを用いる。
【実施例】
【０００７】  以下、添付図面にしたがい制作例を説明する。
必要実寸にカットした１の木部の１ａの部分と、２の木部の２ａ部分を接着する。これにより生じた３直角部分２ケ所をカナ折れ金具で補強する。１の木部の上部４に均等にヨウトウヅリを取り付ける。テーブルとの固定には市販のクランプを用いる。
【図面の簡単な説明】
【０００８】
【図１】  本考案の手編みぞうりハンディータイプ作業台の全体図である。
【図２】  本考案の手編みぞうりハンディータイプ作業台断面図である。
【図３】  本考案に使用の市販品クランプの全体図である。
【符号の説明】
【０００９】１    本体
１ａ  本体２ａ部分との接着面
２    本体
２ａ  本体１ａ部分との接着面
３    本体１ａと２ａの接着により生じた直角箇所の補強金具
４    ヨウトウヅリ取り付け位置
５    クランプ（市販品）
【図１】
0003141427.tif 000003
【図２】
0003141427.tif 000004
【図３】
0003141427.tif 000005
【手続補正書】
【提出日】平成20年1月30日(2008.1.30)
【手続補正１】
【補正対象書類名】実用新案登録請求の範囲
【補正対象項目名】全文
【補正方法】変更
【補正の内容】
【実用新案登録請求の範囲】
【請求項１】
２枚の木片を直角に接着し、その直角面にカナ折れ金具を補強し、一方の木片の垂直面にヨウトウヅリを取付けてなる手編みぞうり作業台
(57)【要約】【課題】  本考案は偏平足、外反母趾、中足骨などの症状に適応するアーチパッドを使用者が各人の足底に合わせて装着位置を修正でき、ハイヒールなどにも使用可能な薄型のインソールである。【解決手段】  本考案は天然皮革やマイクロファイバーとポリウレタン発泡層からなる上層の裏面にフランネルを貼り付け、面ファスナーを貼り付けたアーチパッドを使用者が各人の足底に合わせて装着位置を修正して、ハイヒールなどに挿入することにより痛みや不快感を解消させる。【選択図】図４
0003141432.tif 000002
【実用新案登録請求の範囲】
【請求項１】
偏平足，外反母趾、中足骨などの症状に対応するアーチパッドを使用者が各人の足底に合わせて装着位置を修正できる薄型インソール。
【請求項２】
アーチパッドの装着手段として面ファスナーを使用して再粘着を可能とした薄型インソール。
【考案の詳細な説明】
【技術分野】
【０００１】  本考案は、各人の足底に合せてアーチバッドの位置を修正できる薄型のインソールに関する。
【背景技術】
【０００２】  人間は２本足で歩行するため足、骨盤、脊柱に大きな負担をかけて生活し、一般的に約８０％の人が足に何らかの障害を持っていると言われている。
足に体重がかかった時、その圧力は足の軟組織に作用する。足圧の負荷が極限を越えたとき足底の皮膚の摩滅（タコ、ウオノメ）、足底筋膜炎、関節炎、捻挫などが生じる。足底には一般に３つのアーチ（内側の縦アーチ、外側の縦アーチと横アーチ）があり、これらのアーチは静止時や歩行時に体重を支え、足に掛かるショックを吸収し、膝や腰への衝撃を守るためのバネの役割をしている。
これらのアーチ構造が崩れたとき、足に大きな負担を掛ける。即ち足の内側の縦アーチが上がりすぎた足をハイアーチ、崩れて低下した足を偏平足と言う。
一般的には、これらのアーチの構造が崩れ何らかの症状が現れたとき、市販のアーチサポートインソールを購入したり、整形外科医師や専門の技師によってオーダーメイドインソールを製作してもらい、足の疲れや痛みを軽減している。
【考案の開示】
【考案が解決しようとする課題】
【０００３】  市販のアーチサポートインソールの場合、パッドの位置や大きさが決まっており最初からインソールに装着されているため、各人の足底に合わず苦痛や不快感など症状の改善には程遠いものであった。また整形外科医師や専門の技師によって足底圧を測定しオーダーメイドのインソールを誂えた場合は、足底にフィットし苦痛が軽減され快適さが得られるが非常に高価でありまた製作日数が長く掛かるのが現状であった。
【課題を解決するための手段】
【０００４】  本考案は、インソールの裏面にフランネルを貼り付け、面ファスナーを貼り付けた偏平足、外反母趾、中足骨などの症状に対応したアーチパッドを使用者が各人の足底に合せて装着位置を修正して貼り付ける事により、その痛みや不快感などの問題点を解決するものである。
【考案の効果】
【０００５】  本考案は上記の課題を解決するものであり、実例を挙げると偏平足の患者が土踏まずの位置に偏平足用のアーチパッドを装着したインソールを靴の中に挿入し、試しに履いて見た所少し上部に行き過ぎ違和感を生じたため、装着したアーチパッドを外し再度その位置を修正し様子を見た所、所定の位置にフィットし、数時間歩いても不快感もなく疲れも軽減された。
また本考案のインソールは薄く、女性のパンプスやハイヒールのような余裕のないぴったりした靴でも使用可能であった。
【考案を実施するための最良の形態】
【０００６】  以下、添付図面を参照して本考案の好適な実施の形態を詳細に説明する。尚下記の実施例は本考案の好適な実施例を示したに過ぎず、本考案の技術的範囲は、下記実施例そのものに何ら限定されるものではない。
【実施例】
【０００７】  図２は本考案によるインソールの上方よりの分解透視図であり、図３はインソールの下方よりの分解透視図、図４は本考案のインソールとハイヒールとの結合図である。【０００８】  上層の表面（１０）は、天然皮革やマイクロファイバーとポリウレタンの発泡層からなり、心地良さと吸汗性および衝撃吸収性を付与する。またその裏面にはフランネル（１０１）を貼り付け、アーチパッド（２０）および下層（３０）と接着させる。上層裏面のフランネルと強固に接着させるためアーチパッドの表面（２０１）は、面ファスナーを貼り付けている。また下層の表面には面ファスナー（３０１）、裏面には滑り止め又は粘着剤（３０２）が施されている。
【図面の簡単な説明】
【０００９】
【図１】  ハイヒールの立体図
【図２】  インソールの上方よりの分解透視図
【図３】  インソールの下方よりの分解透視図
【図４】  インソールとハイヒールとの結合図
【符号の説明】
【００１０】    １０      上層
２０      アーチパッド
３０      下層
１０１    フランネル
２０１    面ファスナー
３０１    面ファスナー
３０２    滑り止めまたは粘着剤
【図１】
0003141432.tif 000003
【図２】
0003141432.tif 000004
【図３】
0003141432.tif 000005
【図４】
0003141432.tif 000006
【手続補正書】
【提出日】平成20年2月5日(2008.2.5)
【手続補正１】
【補正対象書類名】実用新案登録請求の範囲
【補正対象項目名】全文
【補正方法】変更
【補正の内容】
【実用新案登録請求の範囲】
【請求項１】
偏平足，外反母趾の症状に対応するアーチパッドを使用者が各人の足底に合せて装着位置を修正できるアーチパッドと薄型インソールの組み合わせ。
【請求項２】
アーチパッドの装着手段として面ファスナーを使用して再粘着を可能としたアーチパッドと薄型インソールの組み合わせ。
(57)【要約】      （修正有）【課題】撮像素子の規格に合わせて装着されているレンズにおいて、接眼レンズから覗いた時に見えるファインダー画面全体の映像が小さく、３５ミリフルサイズの映像と同じ大きさに見えるようにする。【解決手段】撮像素子と電子ビューファインダー画面とは電気的変換素子を介して電気的に接続されており、撮像素子により撮影された映像が電子ビューファインダー画面の全体に表示するように構成された電子ビューファインダー画面の大きさ及び前記接眼レンズの光学的特性は、前記接眼レンズから覗いた時に見える映像が３５ミリフルサイズの映像と同じ大きに見えるようにする。【選択図】図１
0003141434.tif 000002
【実用新案登録請求の範囲】
【請求項１】
撮像素子と電気的変換素子と電子ビューファインダーの画面と接眼レンズとを備えたカメラであって撮像素子と電子ビューファインダー画面とは電気的変換素子を介して電気的に接続されており、撮像素子により撮影された映像が電子ビューファインダー画面の全体に表示するように構成される電子ビューファインダー画面の大きさ及び前記接眼レンズの光学的特性は、前記接眼レンズから覗いた時に見える映像が３５ミリフルサイズの映像と同じ大きさに見えるように設定されていることを特徴とするカメラ。
【考案の詳細な説明】
【技術分野】
【０００１】
本考案は、接眼レンズから覗いた時に見える映像の大きさを、３５ミリフルサイズの映像と同じ大きさに見えるように設定されていることを特徴とするカメラに関するものである。
【背景技術】
【０００２】
従来は撮像素子の規格に合わせて装着されているレンズにおいて、接眼レンズから覗いた時に見えるファインダー画面全体の映像が小さく、これは最大の欠点であり違和感を感じる。
【考案の開示】
【考案が解決しようとする課題】
【０００３】
従来は撮像素子の規格に合わせて装着されているレンズにおいて、接眼レンズから覗いた時に見えるファインダー画面全体の映像が小さく、これを３５ミリフルサイズの映像の大きさと同じ大きさに見えるようにするものである。
【課題を解決するための手段】
【０００４】
撮像素子と電気的変換素子と電子ビューファインダーの画面と接眼レンズとを備えたカメラであって撮像素子と電子ビューファインダー画面とは電気的変換素子を介して電気的に接続されており、撮像素子により撮影された映像が電子ビューファインダー画面の全体に表示するように構成された電子ビューファインダー画面の大きさ及び前記接眼レンズの光学的特性は、前記接眼レンズから覗いた時に見える映像が３５ミリフルサイズの映像と同じ大きさに見えるように設定されていることで課題は解決する。
図１について説明すれば１被写体が２レンズを通して３撮像素子に撮影されるその映像が４電気的変換素子を介して電気的に映像の拡大倍率を調整して５電子ビューファインダー画面の全体に表示された６電子ビューファインダー画面の映像全体は３５ミリフルサイズの映像と同じ大きさに見えるように表示されるがこの時電子ビューファインダー画面の大きさは前記の映像全体の画面と同じ大きさに設定されている。
【考案の効果】
【０００５】
３５ミリフルサイズの大きさで見えると云うことは３５ミリフルサイズのカメラと同等の価値を持つことになる。従って装着されているレンズの特性を生かし迫力ある映像を見ることができ、撮影の時、出来上がり写真のイメージ作りを助けるために大事なことである。
従来のファインダーは撮像素子の規格に合わせて装着されたレンズに関連してその映像が小さく、違和感を感じる。それが本考案のカメラにおいては、装着されているレンズについて、３５ミリフルサイズに換算した焦点距離の映像は３５ミリフルサイズと同じ焦点距離の映像として表示される。そして視野率は１００パーセントである。
電子ビューファインダーで設定しておくと、レンズ交換式にすればいわゆる３５ミリフルサイズの一眼レフカメラと同様の機能を持ちながら、ミラーもペンタプリズムも不要である。
ミラーが不要になれば撮像素子とレンズの間の空間が広くとれ、撮像素子を透明なガラス箱に密閉し設置すれば、撮像撮像素子の表面のほこりの付着も防げる。またガラス箱に付着するごみは簡単に掃除できる。またレンズのフィルターのように、ガラス箱の一面に防塵フィルターを装着することも可能である。このフィルターを外してきれいに掃除すれば、より簡単で特別の防塵対策も不要である。よってカメラを簡単にまた安全にレンズ交換式にすることが可能になる。
【考案を実施するための最良の形態】
【０００６】
電子ビューファインダー式のデジタルカメラにおいて実施するのが最良の形態である。
図１について説明すれば１被写体が２レンズを通して３撮像素子に撮影される。これを４電気的変換素子を介して５電子ビューファインダー画面に表示される。このとき接眼レンズから覗いて見える６電子ビューファインダー画面の映像が３５ミリフルサイズの画面の映像と同じ大きさ見えるように、電子ビューファインダー画面の大きさならびに電気的変換素子の映像の拡大倍率を調整しておく。
【実施例】
【０００７】
全く新しい発想による考案であるから未だ実施はされていない。従って前記の記述に基づいて実施される。
【図面の簡単な説明】
【０００８】
【図１】本考案のファインダー効果を導く為の実施例の作業図面である。
【符号の説明】
【０００９】
１  被写体
２  レンズ
３  撮像素子
４  電気的変換素子
５  電子ビューファインダー画面
６  電子ビューファインダー画面に表示された被写体の映像
【図１】
0003141434.tif 000003
【手続補正書】
【提出日】平成20年1月23日(2008.1.23)
【手続補正１】
【補正対象書類名】実用新案登録請求の範囲
【補正対象項目名】全文
【補正方法】変更
【補正の内容】
【実用新案登録請求の範囲】
【請求項１】
撮像素子と電気的変換素子と電子ビューファインダーの画面と接眼レンズとを備えたカメラであって撮像素子と電子ビューファインダー画面とは電気的変換素子を介して電気的に接続されており、撮像素子により撮影された映像が電子ビューファインダー画面の全体に表示するように構成される電子ビューファインダー画面の大きさ及び前記接眼レンズの光学的特性は、前記接眼レンズから覗いた時に見える映像がカメラのファインダーの画面における３５ミリフルサイズの映像と同じ大きさに見えるように設定されていることを特徴とするカメラ。
(57)【要約】【課題】購入予定品目を必要な都度記録しておき、買い物に行く際、メモ帳を見ながら売り場を効率よく回ることにより、買い物時間の短縮を図り、且つ記入されている必要品目を購入するため無駄な買い物がなくなり、経費を節約できるようにする。【解決手段】分類毎に購入予定品目を記入できるようにし、同一紙面上の品目を全て購入した際には容易に切り離しを可能とした買い物メモ帳。【選択図】図１
0003141435.tif 000002
【実用新案登録請求の範囲】
【請求項１】
メモ帳の綴じ具をリング状とし、容易に該当するページを開きやすく、各ページにミシン目を付し、不要となったページを切り離すことができる。記入項目は、見出し部の分類欄、明細部の日付欄、品名欄、金額欄、メモ欄、チェック欄とする買い物メモ帳。
【考案の詳細な説明】
【技術分野】
【０００１】本考案は、購入予定品を常時記録しておき、買い物に出かけた際に必要品目の確認および購入済みのチェックをする買い物メモ帳に関する。
【背景技術】
【０００２】従来、一般に買い物に出かける際には、買い忘れ防止の目的で、購入すべき品目のメモを予め作成しておき、これを持って商店で買い物をする方式をとっている。
【考案の開示】
【考案が解決しようとする課題】
【０００３】これは、次のような欠点があった。
１．一枚の紙片としての買い物メモでは、紛失、汚損の可能性がある。
２．買い物時の見映えが良くない。
３．購入予定品目が、在庫切れ等の理由で購入できなかった場合など、記録した品目全てが揃わない時に、未購入品名を別のメモに書き直すなどの手間がかかる。
４．購入品目が多い場合、空白を利用して記入するので乱雑な記録となり、品目を見落としてしまうことがある。
５．品目は、思いついた時に記録されたものなので、商店、売り場が異なる場所を効率良く移動することができない。
６．特売等の日替り商品など、日付を意識して購入する品目を分類して記録するのは容易ではない。
【課題を解決するための手段】
【０００４】上記課題を解決するために本考案はメモ帳形式とし、店舗や売り場などの分類毎に購入予定品目を整列して記録し、品目毎に購入済みのチェック欄を設け、すべてチェックし終わったページはミシン目で容易に切り離すことができる買い物メモ帳を提案する。
【考案の効果】
【０００５】本考案の買い物メモ帳により、売り場や日付に分類された品目を効率よく手にすることができ、無駄な購入品の減少、および時間の節約を可能とする。
【実施例】
【０００６】以下、図面を参照して本考案の実施例について説明する。
１．図１に示す本考案の買い物メモ帳は、携帯サイズのメモ用紙複数枚をリング（１）で綴じ、全ページに切り取り用のミシン目（２）と、罫線および文字が印刷されたものとする。
２．見出し部（３）は、分類用の記入欄とし、店舗名や売り場名、優先度など使用者が自由に記入する。
３．明細部の見出し（４）を、日付、品名、金額、メモ、チェックとし、その下段より使用者が購入予定品目を記入する。【０００７】以下、作用について説明する。
日常生活において購入予定品目が発生した際、購入予定日（５）、品名（６）、金額（７）、数量や底値や品質などのメモ（８）を該当する分類（３）のページに記入する。分類（３）は、店舗や売り場、優先度など、使用者が自由に設定することができる。【０００８】買い物に行く際に買い物メモ帳を持参し、記入されている品目を確認して商品を選定する。【０００９】購入した品目についてはチェック（９）を記し、購入完了の目印とする。チェック（９）のない品目は未購入なので、他の店舗に移動するか、時間的に余裕のあるものであれば後日の購入予定とする。【００１０】同一ページ上の全ての品目のチェック（９）が付された場合は、ミシン目（２）で切り離して破棄することにより、買い物メモ帳は常に購入予定品目を探し易い状態にしておくことができる。
【図面の簡単な説明】
【図１】本考案の斜視図である。
【図２】本考案の側面図である。
【図３】本考案の記入例の平面図である。
【符号の説明】
１リング綴じ
２切り取りミシン目
３分類欄
４明細見出し
５日付欄
６品名欄
７金額欄
８メモ欄
９チェック欄
【図１】
0003141435.tif 000003
【図２】
0003141435.tif 000004
【図３】
0003141435.tif 000005
【手続補正書】
【提出日】平成20年2月1日(2008.2.1)
【手続補正１】
【補正対象書類名】実用新案登録請求の範囲
【補正対象項目名】全文
【補正方法】変更
【補正の内容】
【実用新案登録請求の範囲】
【請求項１】
メモ帳の綴じ具を開きやすくリング状とし、各ページの上部に切り離しのミシン目を付け、記入項目は見出し部の分類欄、明細部の日付欄、品名欄、金額欄、メモ欄、チェック欄からなる買い物メモ帳。
(57)【要約】【課題】新規既設問わず取付け可能とすることにより特に壁面を有効利用ができ書籍書類を削減することなく取り付け可能でありなおかつ既設ボード類も再利用できることの可能な枠体を提供する。【解決手段】ボード類サイズに合わせ側枠体及び上下枠体レール寸法を変更することにより多くのサイズに対応できる枠体を特徴とする【選択図】図４
0003141405.tif 000002
【実用新案登録請求の範囲】
【請求項１】
（１）コ型鋼を四方形枠型に組内側下部に引き戸用レールを組み込み上部には揺れ防止ガイドレールを取付けホワイトボード掲示板等を組み込みスライドボードとし使用する枠体上下連結枠体レールを増設することにより多連式にできる枠体。
【考案の詳細な説明】
【技術分野】
【０００１】本考案は壁面に書架物品棚を設置すると壁掛ホワイボード掲示板類設置ができないこの問題を解決するためこの考案はなされたものである組み込んだボード類をスライドすることにより積載物も取出し可能となりスペースの有効利用が可能となる。
【背景技術】
【０００２】従来収納書庫扉兼用単連のものはあるが書架物品棚用多連可能式は見あたらない。
【考案の開示】
【考案が解決しようとする課題】
【０００３】これは次のような欠点があった。
壁全面に書架物品棚を設置すると脚付ボードを使用することになりスペースを無駄にしていた。
【課題を解決するための手段】
【０００４】書架物品棚はＪＩＳ規格となっているため生産者が違っても寸法的にはすべてに対応可能である。
【考案の効果】
【０００５】ＪＩＳ規格設定された書架物品棚が数多く設置されており新規既設を問わず取り付け可能であり既設壁掛けボードおよび脚つきボードも再利用できる。
【図面の簡単な説明】
【図１】本考案正面図  側面図
【図２】枠体ボード組込図
【図３】上下連結枠体レール断面図
【図４】枠体部分図
【符号の説明】
１枠体  ２書架  ３ボード  ４取付け部  ５上部連結枠体レール断面図  ６揺れ止めレール  ７下部連結枠体レール断面図  ８上部連結枠体レール  ９下部連結枠体レール  １０側枠体
【図１】
0003141405.tif 000003
【図２】
0003141405.tif 000004
【図３】
0003141405.tif 000005
【図４】
0003141405.tif 000006
【手続補正書】
【提出日】平成18年11月2日(2006.11.2)
【手続補正１】
【補正対象書類名】実用新案登録請求の範囲
【補正対象項目名】全文
【補正方法】変更
【補正の内容】
【実用新案登録請求の範囲】
【請求項１】
Ｃ型鋼を４方向に枠組し〔図１〕上下部に揺れ止めレールを施し〔図３〕ボードを組込み〔図２〕ボードを左右にスライドし使用する、上下部連結枠体レール〔図４〕を増設することによりボードを２・３枚と増やすことの可能な枠体、
【手続補正書】
【提出日】平成19年3月13日(2007.3.13)
【手続補正１】
【補正対象書類名】実用新案登録請求の範囲
【補正対象項目名】全文
【補正方法】変更
【補正の内容】
【実用新案登録請求の範囲】
【請求項１】
金属製で左右に垂直枠上下に引き戸用レールを施し四方向としホワイトボード・ピンナップボードを組み込みスライド使用し上下引き戸用レールを追加増設することによりホワイトボード・ピンナップボードの枚数を増やすことができるボード用枠体
【手続補正書】
【提出日】平成19年7月13日(2007.7.13)
【手続補正１】
【補正対象書類名】実用新案登録請求の範囲
【補正対象項目名】全文
【補正方法】変更
【補正の内容】
【実用新案登録請求の範囲】
【請求項１】
アルミフレーム材で四方枠を組みその上下フレームにはレールを施しホワイトボード又は掲示板をレール内に組み込み左右スライドし使用することのできる枠体、ホワイトボード又は掲示板を追加しようとするときはレールが施された上下フレームを追加取り付けすることによりホワイトボード又は掲示板の枚数を増設できる枠体。
【手続補正書】
【提出日】平成19年11月8日(2007.11.8)
【手続補正１】
【補正対象書類名】実用新案登録請求の範囲
【補正対象項目名】全文
【補正方法】変更
【補正の内容】
【実用新案登録請求の範囲】
【請求項１】
アルミフレーム材で四方枠を組み上下連結枠体にはレールを施し組み込んだホワイトボード又は掲示板を左右にスライドし使用する枠体であって、ホワイトボードまたは掲示板を追加しようとするきは上下連結枠体レールを追加することによりホワイトボード又は掲示板の枚数を増設できることを特徴とする枠体。
(57)【要約】      （修正有）【課題】虫の侵入を防ぎ、窓を開放し、快適に過ごすことが出来、また、不要な時は小さく収納でき、車に常備しておける自動車の窓用防虫網を提供すること。【解決手段】ドア１枚全体を網で包むことによって、ドアを閉めたときに隙間から虫が侵入しないよう完全防虫状態とする。窓の開閉は装着時でも自由に出来る。【選択図】図１
0003141408.tif 000002
【実用新案登録請求の範囲】
【請求項１】
自動車の窓に防虫網を張る・
【請求項２】
周囲にゴムヒモをいれた防虫網でドア全体を覆う。ドアを閉めると隙間から虫が侵入しない設計となっている。装着時でも窓の開閉が出来る。
不要な時は小さく収納できる為、車に常備できる。
【考案の詳細な説明】
【技術分野】
【０００１】本考案は、自動車の窓用防虫網である。
【背景技術】
【０００２】暑い時自動車の窓を開けたいが虫が入ってくるので、しかたなく、窓を閉め、冷房を点けていた。アイドリングによるＣＯ２排出やガソリンの無駄が気になった。
【考案の開示】
【考案が解決しようとする課題】
【０００３】ＣＯ２排出削減や地球資源（ガソリン）の節約と地球に優しい。
虫の多い時期でも窓の開閉が自由に出来、虫の侵入を完全に防止する。
不必要な時は小さく片付けられる為に、車に常備できる。
【課題を解決する為の手段】
【０００４】開けたい窓のあるドア全体を網で覆う。
【考案の効果】
【０００５】窓を開けている時でも完全防虫が簡単に一人で出来る。
不必要な時は、小さく片付けることが出来る。
【考案を実施する為の最良の形態】
【０００６】防虫網の周囲にゴムヒモを入れ、車のドア１枚の全体を覆う。
【実施例】
【０００７】自動車のドアを開き、外から網でドア全体を覆うとゴムヒモがドアの内側に入り納まる。ドアを閉めると完全に防虫でき、窓の開閉も自在に出来る。【０００８】取り外す時はドアを開け、ゴムヒモをドアから外せば簡単に外すことが出来る。【０００９】不必要な時は、小さく片付けることが出来る。
【産業上の利用可能性】
【００１０】自然の風で涼しくなるのでＣＯ２排出削減、ガソリンの節約、車中での睡眠も可能となる。全世界の方に是非使用して頂き、快適なカーライフを楽しんで頂きたい。
【図面の簡単な説明】
【００１１】
【図１】本考案の実施例を示す正面図である。
【図２】本網戸のドア内側から見た図である。
【図３】収納時の状態の図である。
【符号の説明】
【００１２】１．  防虫網
２．  ゴムヒモ
３．  ミシン糸
【図１】
0003141408.tif 000003
【図２】
0003141408.tif 000004
【図３】
0003141408.tif 000005
【手続補正書】
【提出日】平成19年10月16日(2007.10.16)
【手続補正１】
【補正対象書類名】実用新案登録請求の範囲
【補正対象項目名】全文
【補正方法】変更
【補正の内容】
【実用新案登録請求の範囲】
【請求項１】
自動車の窓用防虫網。
【請求項２】
周囲にゴムヒモを入れた防虫網であって、外から前期防虫網で自動車のドア全体を覆うと前記ゴムヒモが前記ドアの内側に入り納まる自動車の窓用防虫網。
【手続補正書】
【提出日】平成20年2月8日(2008.2.8)
【手続補正１】
【補正対象書類名】実用新案登録請求の範囲
【補正対象項目名】全文
【補正方法】変更
【補正の内容】
【実用新案登録請求の範囲】
【請求項１】
自動車の窓用防虫網であって、外から自動車のドア全体を覆うことが出来る自動車のドアの形状をした窓用防虫網。
【請求項２】
周囲にゴムヒモを入れた防虫網であって、外から前期防虫網で自動車のドア全体を覆うと前記ゴムヒモが前記ドアの内側に入り納まる自動車の窓用防虫網。
(57)【要約】      （修正有）【課題】釣りでマキエサをする時、ピトン棒にバッカンをぶら下げると、風で揺れたり、波で流されたりしないバッカンを提供する。【解決手段】バッカン１のセンターに穴をあけ、これにステンレスの板２にステンレスのパイプ３を取り付けたものを通し、このパイプ３にネジ４をつけそれにハンドル５をつけてピトン棒６に差し込んで固定でき、この課題を解決する。【選択図】図２
0003141445.tif 000002
【実用新案登録請求の範囲】
【請求項１】
バッカンのセンターに穴をあけ、これにステンレスの板にステンレスのパイプを付けたものを通し、このパイプにネジを取り付け、それにハンドルをつけて、ピトン棒にこのパイプを差し込んで止め、バッカンが風で揺れたり、波に流されたりしないことを特徴とするバッカン。
【考案の詳細な説明】
【技術分野】
【０００１】本考案は、バッカンに関するものであり、このバッカンの形状に工夫を加える事によって、ピトン棒にバッカンを、取り付けできるようにしたものである。
【背景技術】
【０００２】従来は、バッカンをピトン棒にバッカンの紐を引っ掛けるものであった。
【考案の開示】
【考案が解決しようとする課題】
【０００３】しかし、従来のようにバッカンの紐を引っ掛けるものだと、風が吹いたら揺れるし、紐がじゃまになってマキエサがすくい取りにくい、本考案は、このような場合、バッカンの形状を変える事により、風で揺れたりマキエサがすくい取りにくかったり、波に流されるという不都合を解決することを課題とする。
【課題を解決するための手段】
【０００４】そこで、バッカンのセンターに穴をあけ、これにステンレスの板にパイプを取り付けたものを通し、このパイプにネジを取り付けそれにハンドルをつけて、ピトン棒に差し込んで固定できるようにした。
【考案の効果】
【０００５】よって、本考案のセンターバッカンは、風が吹いても揺れず、マキエサもすくいやすく、波にも流されない様にしたものである。
【考案を実施するための最良の形態】
【０００６】本考案に係るセンターバッカンは、図２に示すようにバッカン１のセンターに穴をあけ、ステンレスの板２にステンレスのパイプ３を取り付けたものを通し、そのパイプ３にネジ４をつけハンドル５を取り付け、ピトン棒６にこのパイプ３を差し込んでハンドル５を回して固定する。
よって、ピトン棒にしっかり固定され、風でも揺れず、波に流されたりしない様にでき、紐もじゃまにならないのでマキエサもすくい取りやすい。
【図面の簡単な説明】
【０００７】
【図１】従来のバッカンの紐を引っ掛けるバッカンの平面図である。
【図２】センターバッカンを詳しく説明した図である。
【符号の説明】
【０００８】１    バッカン
２    ステンレスの板
３    ステンレスのパイプ
４    ネジ
５    ハンドル
６    ピトン棒
【図１】
0003141445.tif 000003
【図２】
0003141445.tif 000004
(57)【要約】【目的】  本考案の目的は、新規な浴槽用水質改良具を提供することにある。【構成】  この浴槽用水質改良具は、ゲルマニウムが練り込まれた綿材が混入されたポリエチレンを、みかん型に成形した構成となっていることを特徴としている。【効果】  このように構成された浴槽用水質改良具による場合、当該浴槽用水質改良具が、浴槽内のお湯に浮かべて使用されることによって、使用者がいわゆるゲルマニウム温浴効果を得られるようになっている。【選択図】      図１
0003141441.tif 000002
【実用新案登録請求の範囲】
【請求項１】
ゲルマニウムが練り込まれた綿材が混入されたポリエチレンからなることを特徴とする浴槽用水質改良具。
【請求項２】
請求項１記載の浴槽用水質改良具において、
前記ポリエチレンがみかん型に成形されていることを特徴とする浴槽用水質改良具。
【考案の詳細な説明】
【技術分野】
【０００１】
本考案は浴槽用水質改良具に関する。
【背景技術】
【０００２】
従来の浴槽用水質改良具は、お湯が出入りする孔を有する容器と、この容器に入れられる鉱石とを有しているものがある（特許文献１参照）。
【０００３】
【特許文献１】特開平０９−１４１２５４号公報
【考案の開示】
【０００４】
本考案は新規な浴槽用水質改良具を提供することを目的とする。
【０００５】
上記課題を解決するために、本考案の浴槽用水質改良具は、ゲルマニウムが練り込まれた綿材が混入されたポリエチレンからなることを特徴としている。この浴槽用水質改良具は、前記ポリエチレンがみかん型に成形されていることが好ましい。
【０００６】
本考案の浴槽用水質改良具による場合、浴槽内のお湯に浮かべて使用されることにより、いわゆるゲルマニウム温浴効果を得られる。
【考案を実施するための最良の形態】
【０００７】
以下、本発明の実施の形態に係る浴槽用水質改良具について図面を参照しながら説明する。図１は本発明の実施の形態に係る浴槽用水質改良具の斜視図、図２は（ａ）が同浴槽用水質改良具の正面図、（ｂ）が同浴槽用水質改良具の背面図、図３は（ａ）が同浴槽用水質改良具の平面図、（ｂ）が同浴槽用水質改良具の底面図、図４は（ａ）が同浴槽用水質改良具の右側面図、（ｂ）が同浴槽用水質改良具の左側面図、図５は同浴槽用水質改良具のＡ−Ａ断面図である。
【０００８】
ここに掲げる浴槽用水質改良具は、ゲルマニウムが練り込まれた綿材を混入したポリエチレンをみかん型に成形したものである。
【０００９】
この浴槽用水質改良具による場合、浴槽内のお湯に浮かべて使用されることにより、いわゆるゲルマニウム温浴効果を得られる。
【図面の簡単な説明】
【００１０】
【図１】本発明の実施の形態に係る浴槽用水質改良具の斜視図である。
【図２】（ａ）が同浴槽用水質改良具の正面図、（ｂ）が同浴槽用水質改良具の背面図である。
【図３】（ａ）が同浴槽用水質改良具の平面図、（ｂ）が同浴槽用水質改良具の底面図である。
【図４】（ａ）が同浴槽用水質改良具の右側面図、（ｂ）が同浴槽用水質改良具の左側面図である。
【図５】同浴槽用水質改良具のＡ−Ａ断面図である。
【図１】
0003141441.tif 000003
【図２】
0003141441.tif 000004
【図３】
0003141441.tif 000005
【図４】
0003141441.tif 000006
【図５】
0003141441.tif 000007
【手続補正書】
【提出日】平成20年2月15日(2008.2.15)
【手続補正２】
【補正対象書類名】実用新案登録請求の範囲
【補正対象項目名】全文
【補正方法】変更
【補正の内容】
【実用新案登録請求の範囲】
【請求項１】
ゲルマニウムが練り込まれた綿材が混入されたポリエチレンがみかん型に成形されていることを特徴とする浴槽用水質改良具。